【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
作動流体配管の圧力を管理する方法であって、
測定された複数のプロセス圧力を特定するために、坑井内に配置されたポンプによって、炭化水素流体配管ネットワーク内の複数の特定の位置で、前記坑井から地上炭化水素流体配管ネットワークを通って循環する炭化水素流体の流体圧力を測定するステップであって、前記複数の特定の位置は、スペックブレークバルブの出口側に結合された前記地上炭化水素流体配管ネットワークの下流側炭化水素配管システムに配され、前記スペックブレークバルブは、その入口側に結合された前記地上炭化水素流体配管ネットワークの上流側炭化水素配管システムと前記下流側炭化水素配管システムとを分離するものであり、前記上流側炭化水素配管システムは、前記坑井又は前記ポンプのデッドヘッド圧力以上の最大圧力レートを備える、ステップと；
前記測定された複数のプロセス圧力の少なくとも半分が指定の閾値を超えることを特定するステップであって、前記指定の閾値は、前記下流側炭化水素配管システムの最大許容動作圧力（ＭＡＯＰ）レート以下であり、前記ＭＡＯＰレートは、前記デッドヘッド圧力未満である、ステップと；
前記特定に基づいて、少なくとも１つの流れ制御装置を作動させるステップと；
前記炭化水素流体配管ネットワーク内の前記炭化水素流体の流体圧力を低減させるために、作動した前記少なくとも１つの流れ制御装置を用いて、前記坑井内の前記炭化水素流体の流れを制御するステップと；を備える、
作動流体配管の圧力を管理する方法。
【請求項２】
少なくとも１つの流れ制御装置を作動させるステップは、前記ポンプのモータコントローラ、前記ポンプを備える作業ストリングに流体的に結合されたダウンホールバルブ、又は前記ポンプに電気的に連結されたパワースイッチギアモジュールのうちの少なくとも１つを調節するステップを備える、
請求項１に記載の方法。
【請求項３】
前記ポンプのモータコントローラ、前記ポンプを備える作業ストリングに流体的に結合されたダウンホールバルブ、又は前記ポンプに電気的に連結されたパワースイッチギアモジュールのうちの少なくとも１つを調節するステップは、
前記ポンプを前記炭化水素流体配管ネットワークから流体的に分離するために、前記ダウンホールバルブを閉鎖位置に作動させるステップと；
前記ポンプを減速又は停止させるために前記モータコントローラを調整するステップと；
前記モータコントローラを前記パワースイッチギアモジュールから電気的に分離するために、前記パワースイッチギアモジュールに電気的に結合されたリレーを遮断するステップと；の少なくとも１つを備える、
請求項２に記載の方法。
【請求項４】
前記ポンプを減速又は停止させるために前記モータコントローラを調整するステップは、前記ポンプのモータに電気的に結合された調整可能な周波数ドライブを調整するステップを備える、
請求項３に記載の方法。
【請求項５】
前記ポンプを前記炭化水素流体配管ネットワークから流体的に分離するために、前記ダウンホールバルブを前記閉鎖位置に調節するステップは、
前記ダウンホールバルブの流体アクチュエータに流体的に結合されたソレノイドバルブに少なくとも１つの信号を送信するステップと；
前記信号に基づいて、前記流体アクチュエータから流体を排出するステップと；
前記流体の排出に基づいて、閉鎖位置に移動するよう前記ダウンホールバルブを作動するステップと；を備える、
請求項３に記載の方法。
【請求項６】
前記ポンプが電動液中ポンプを備える、
請求項１に記載の方法。
【請求項７】
前記複数の特定の位置は、少なくとも３つの特定の位置を備え、前記測定された複数のプロセス圧力は、少なくとも３つの測定されたプロセス圧力を備える、
請求項１に記載の方法。
【請求項８】
炭化水素配管保護システムであって、
地表から地下層に延在する坑井に流体的に結合された地上の炭化水素流体配管に結合するように構成された複数のプロセス圧力センサであって、前記炭化水素流体配管は、スペックブレークバルブの出口側に結合された下流側炭化水素配管システムを備え、前記スペックブレークバルブは、その入口側に結合された前記炭化水素流体配管の上流側炭化水素配管システムから前記下流側炭化水素配管システムを分離するものであり、前記上流側炭化水素配管システムは、前記坑井又は前記坑井内に配置されたポンプのデッドヘッド圧力以上の最大圧力レートを備える、前記複数のプロセス圧力センサと；
前記複数のプロセス圧力センサと、前記坑井内に配置された前記ポンプによって前記地下層から前記坑井を通って前記炭化水素流体配管内に循環される炭化水素流体の流れを調整するように配置された少なくとも１つの流れ制御装置とに通信可能に結合するように構成されたコントローラであって、
前記複数のプロセス圧力センサの各々から流体圧力測定値を受信する動作と；
前記複数のプロセス圧力測定値の少なくとも半分が指定の閾値を超えると特定する動作であって、前記指定の閾値は、前記下流側炭化水素配管システムの最大許容動作圧力（ＭＡＯＰ）レート以下であり、前記ＭＡＯＰレートは、前記デッドヘッド圧力未満である、動作と；
前記特定に基づいて、前記炭化水素流体配管内の前記炭化水素流体の流体圧力を低減させるために、前記坑井内の前記炭化水素流体の流れを制御する前記少なくとも１つの流れ制御装置を制御する動作と；を実行するように構成される、前記コントローラと；を備える、
炭化水素配管保護システム。
【請求項９】
前記少なくとも１つの流れ制御装置を制御する前記動作は、前記ポンプのモータコントローラ、前記ポンプを備える作業ストリングに流体的に結合されたダウンホールバルブ、又は前記ポンプに電気的に結合されたパワースイッチギアモジュールのうちの少なくとも１つを調整する動作を備える、
請求項８に記載の炭化水素配管保護システム。
【請求項１０】
前記ポンプの前記モータコントローラ、前記ポンプを備える前記作業ストリングに流体的に結合された前記ダウンホールバルブ、又は前記ポンプに電気的に結合された前記パワースイッチギアモジュールのうちの少なくとも１つを調整する動作は、前記コントローラと共に、
前記ポンプを前記炭化水素流体配管から流体的に分離するために、前記ダウンホールバルブを閉鎖位置に調整する動作と；
前記ポンプを減速又は停止させるために前記モータコントローラを調整する動作と；
前記モータコントローラを前記パワースイッチギアモジュールから電気的に分離するために、前記パワースイッチギアモジュールに電気的に結合されたリレーを遮断する動作と；の少なくとも１つを実行することを備える、
請求項９に記載の炭化水素配管保護システム。
【請求項１１】
前記ポンプを減速又は停止させるために前記モータコントローラを調整する前記動作は、前記ポンプを停止させるために前記ポンプのモータに電気的に結合された調整可能な周波数ドライブを前記コントローラで電気的に絶縁する動作を備える、
請求項１０に記載の炭化水素配管保護システム。
【請求項１２】
前記ポンプを前記炭化水素流体配管から流体的に分離するために、前記ダウンホールバルブを前記閉鎖位置に調整する動作は、
前記コントローラから、前記ダウンホールバルブの流体アクチュエータに流体的に結合されたソレノイドバルブに少なくとも１つの信号を送信する動作であって、前記信号は、前記ダウンホールバルブを前記閉鎖位置に移動させるために前記流体アクチュエータから流体を排出する命令を含む、動作を備える、
請求項１０に記載の炭化水素配管保護システム。
【請求項１３】
前記ポンプが電動液中ポンプを備える、
請求項９に記載の炭化水素配管保護システム。
【請求項１４】
前記複数のプロセス圧力センサは、少なくとも３つのプロセス圧力センサを備える、
請求項８に記載の炭化水素配管保護システム。
【請求項１５】
炭化水素配管ネットワークの圧力を管理するためのコンピュータにより実施される方法であって、
少なくとも１つのハードウェアプロセッサを備えるコントローラにおいて、坑井に流体的に結合された炭化水素流体配管内のスペックブレークバルブの下流に取り付けられた複数の圧力センサからの複数の炭化水素プロセス圧力測定値を受信するステップであって、前記スペックブレークバルブの上流側の前記炭化水素流体配管の第１の圧力レートは、前記坑井又は前記坑井に配置された電動液中ポンプのデッドヘッド圧力以上であり、前記スペックブレークバルブの下流側の前記炭化水素流体配管の第２の圧力レートは、前記第１の圧力レートよりも低い最大許容動作圧力レートである、ステップと；
受信した前記複数の炭化水素プロセス圧力測定値の少なくとも半分が、前記スペックブレークバルブの下流側の前記炭化水素流体配管の前記最大許容動作圧力よりも大きい値を超えることを、前記コントローラを用いて特定するステップと；
前記特定に基づいて、前記炭化水素流体配管内の炭化水素流体の流れを低減するために、前記コントローラから少なくとも１つの信号を、前記電動液中ポンプのモータコントローラ、前記電動液中ポンプに電気的に結合されたスイッチギアリレー、又はダウンホールバルブのアクチュエータのうちの少なくとも１つに送信するステップと；を備える、
コンピュータにより実施される方法。
【請求項１６】
前記少なくとも１つの信号は、少なくとも前記モータコントローラに送信され、前記信号の受信に基づいて、前記モータコントローラは前記電動液中ポンプへの電力の切断又は前記電動液中ポンプの動作速度の低減のうちの少なくとも１つを実行する、
請求項１５に記載のコンピュータにより実施される方法。
【請求項１７】
前記少なくとも１つの信号は、前記ダウンホールバルブのアクチュエータに送信され、前記信号の受信に基づいて、ダウンホールバルブは前記炭化水素流体配管内の炭化水素流体の流れを実質的に停止させるために閉鎖位置に調整される、
請求項１５に記載のコンピュータにより実施される方法。
【請求項１８】
前記少なくとも１つの信号は、少なくとも前記スイッチギアリレーに送信され、前記信号の受信に基づいて、前記スイッチギアリレーは前記電動液中ポンプへの電力を切断するようにパワースイッチギアに命令する、
請求項１５に記載のコンピュータにより実施される方法。
【請求項１９】
前記複数の圧力センサは、少なくとも３つの圧力センサを備える、
請求項１５に記載のコンピュータにより実施される方法。
【手続補正２】
【補正対象書類名】明細書
【補正対象項目名】０１０１
【補正方法】変更
【補正の内容】
【０１０１】
いくつかの実施の態様を説明してきた。しかしながら、本開示の技術思想及び範囲から逸脱することなく、種々の改変がなされてもよいということを理解されたい。例えば、本明細書で説明される例示の動作、方法、又はプロセスは、説明されるものよりも多くのステップまたは少ないステップを含むことができる。さらに、そのような例示的な動作、方法、またはプロセスにおけるステップは、図面で説明又は図示されたものとは異なる連続で実行されてもよい。従って、他の実施は添付の特許請求の範囲内にある。
以下、本発明の実施の態様の例を列挙する。
［第１の局面］
作動流体配管の圧力を管理する方法であって：
測定された複数のプロセス圧力を特定するために、坑井内に配置されたポンプによって、炭化水素流体配管ネットワーク内の複数の特定の位置で、前記坑井から地上炭化水素流体配管ネットワークを通って循環する炭化水素流体の流体圧力を測定するステップと；
前記測定された複数のプロセス圧力の少なくとも半分が指定の閾値を超えることを特定するステップと；
前記特定に基づいて、前記炭化水素流体配管ネットワーク内の前記炭化水素流体の流体圧力を低減させるために、前記坑井内の前記炭化水素流体の流れを制御するように動作可能な少なくとも１つの流れ制御装置を作動させるステップと；を備える、
作動流体配管の圧力を管理する方法。
［第２の局面］
少なくとも１つの流れ制御装置を作動させるステップは、前記ポンプのモータコントローラ、前記ポンプを備える作業ストリングに流体的に結合されたダウンホールバルブ、又は前記ポンプに電気的に連結されたパワースイッチギアモジュールのうちの少なくとも１つを調節するステップを備える、
第１の局面に記載の方法。
［第３の局面］
前記ポンプのモータコントローラ、前記ポンプを備える作業ストリングに流体的に結合されたダウンホールバルブ、又は前記ポンプに電気的に連結されたパワースイッチギアモジュールのうちの少なくとも１つを作動させるステップは：
前記ポンプを前記炭化水素流体配管ネットワークから流体的に分離するために、前記ダウンホールバルブを閉鎖位置に作動させるステップと；
前記ポンプを減速又は停止させるために前記モータコントローラを調整するステップと；
前記モータコントローラを前記パワースイッチギアモジュールから電気的に分離するために、前記パワースイッチギアモジュールに電気的に結合されたリレーを遮断するステップと；の少なくとも１つを備える、
第２の局面に記載の方法。
［第４の局面］
前記ポンプを減速又は停止させるために前記モータコントローラを調整するステップは、前記ポンプのモータに電気的に結合された調整可能な周波数ドライブを調整するステップを備える、
第３の局面に記載の方法。
［第５の局面］
前記ポンプを前記炭化水素流体配管ネットワークから流体的に分離するために、前記ダウンホールバルブを前記閉鎖位置に調節するステップは：
前記ダウンホールバルブの流体アクチュエータに流体的に結合されたソレノイドバルブに少なくとも１つの信号を送信するステップと；
前記信号に基づいて、前記流体アクチュエータから流体を排出するステップと；
前記流体の排出に基づいて、閉鎖位置に移動するよう前記ダウンホールバルブを作動するステップと；を備える、
第３の局面に記載の方法。
［第６の局面］
前記ポンプが電動液中ポンプを備える、
第１の局面に記載の方法。
［第７の局面］
前記複数の特定の位置は、前記炭化水素流体配管ネットワークに取り付けられたスペックブレークバルブの下流にあり、また前記複数の特定の位置は隣接している、
第１の局面に記載の方法。
［第８の局面］
前記複数の特定の位置は、少なくとも３つの特定の位置を備え、前記測定された複数のプロセス圧力は、少なくとも３つの測定されたプロセス圧力を備える、
第１の局面に記載の方法。
［第９の局面］
炭化水素配管保護システムであって：
地表から地下層に延在する坑井に流体的に結合された地上炭化水素流体配管に結合するように構成された複数のプロセス圧力センサと；
前記複数のプロセス圧力センサと、前記坑井内に配置されたポンプによって前記地下層から前記坑井を通って前記炭化水素流体配管内に循環される炭化水素流体の流れを調整するように配置された少なくとも１つの流れ制御装置と、に通信可能に結合するように構成されたコントローラであって：
前記複数のプロセス圧力センサの各々から流体圧力測定値を受信する動作と；
前記複数のプロセス圧力測定値の少なくとも半分が指定の閾値を超えると特定する動作と；
前記特定に基づいて、前記炭化水素流体配管内の前記炭化水素流体の流体圧力を低減させるために、前記坑井内の前記炭化水素流体の流れを制御する前記少なくとも１つの流れ制御装置を制御する動作と；を実行するように構成される、前記コントローラと；を備える、
炭化水素配管保護システム。
［第１０の局面］
前記少なくとも１つの流れ制御装置を制御する前記動作は、前記ポンプのモータコントローラ、前記ポンプを備える作業ストリングに流体的に結合されたダウンホールバルブ、又は前記ポンプに電気的に結合されたパワースイッチギアモジュールのうちの少なくとも１つを調整する動作を備える、
第９の局面に記載の炭化水素配管保護システム。
［第１１の局面］
前記ポンプの前記モータコントローラ、前記ポンプを備える前記作業ストリングに流体的に結合された前記ダウンホールバルブ、又は前記ポンプに電気的に結合された前記パワースイッチギアモジュールのうちの少なくとも１つを調整する動作は、前記コントローラと共に：
前記ポンプを前記炭化水素流体配管から流体的に分離するために、前記ダウンホールバルブを閉鎖位置に調整する動作と；
前記ポンプを停止させるために前記モータコントローラを調整する動作と；
前記モータコントローラを前記パワースイッチギアモジュールから電気的に分離するために、前記パワースイッチギアモジュールに電気的に結合されたリレーを遮断する動作と；の少なくとも１つを実行することを備える、
第１０の局面に記載の炭化水素配管保護システム。
［第１２の局面］
前記ポンプを減速又は停止させるために前記モータコントローラを調整する前記動作は、前記ポンプを停止させるために前記ポンプのモータに電気的に結合された調整可能な周波数ドライブを前記コントローラで電気的に絶縁する動作を備える、
第１１の局面に記載の炭化水素配管保護システム。
［第１３の局面］
前記ポンプを前記炭化水素流体配管から流体的に分離するために、前記ダウンホールバルブを前記閉鎖位置に調整する動作は：
前記コントローラから、前記ダウンホールバルブの流体アクチュエータに流体的に結合されたソレノイドバルブに少なくとも１つの信号を送信するステップであって、前記信号は、前記ダウンホールバルブを前記閉鎖位置に移動させるために前記流体アクチュエータから流体を排出する命令を含む、ステップを備える、
第１１の局面に記載の炭化水素配管保護システム。
［第１４の局面］
前記ポンプが電動液中ポンプを備える、
第１０の局面に記載の炭化水素配管保護システム。
［第１５の局面］
前記複数のプロセス圧力センサは、前記炭化水素流体配管に取り付けられたスペックブレークバルブの下流の前記炭化水素流体配管に結合するように構成される、
第１０の局面に記載の炭化水素配管保護システム。
［第１６の局面］
前記複数のプロセス圧力センサは、少なくとも３つのプロセス圧力センサを備える、
第９の局面に記載の炭化水素配管保護システム。
［第１７の局面］
炭化水素配管ネットワークの圧力を管理するためのコンピュータにより実施される方法であって：
少なくとも１つのハードウェアプロセッサを備えるコントローラにおいて、炭化水素流体配管内のスペックブレークバルブの下流に取り付けられた複数の圧力センサからの複数の炭化水素プロセス圧力測定値を受信するステップと；
受信した前記複数の炭化水素プロセス圧力測定値の少なくとも半分が、前記炭化水素配管の最大許容動作圧力よりも大きい値を超えることを、前記コントローラを用いて特定するステップと；
前記特定に基づいて、前記配管ネットワーク内の炭化水素流体の流れを低減するために、前記コントローラから少なくとも１つの信号を、電動液中ポンプのモータコントローラ、スイッチギアリレー、又はダウンホールバルブのアクチュエータのうちの少なくとも１つに送信するステップと；を備える、
コンピュータにより実施される方法。
［第１８の局面］
前記少なくとも１つの信号は、少なくとも前記モータコントローラに送信され、前記信号の受信に基づいて、前記モータコントローラは前記液中ポンプへの電力の切断又は前記液中ポンプの動作速度の低減のうちの少なくとも１つを実行する、
第１７の局面に記載のコンピュータにより実施される方法。
［第１９の局面］
前記少なくとも１つの信号は、前記ダウンホールバルブアクチュエータに送信され、前記信号の受信に基づいて、ダウンホールバルブは前記配管ネットワーク内の炭化水素流体の流れを実質的に停止させるために閉鎖位置に調整される、
第１７の局面に記載のコンピュータにより実施される方法。
［第２０の局面］
前記少なくとも１つの信号は、少なくとも前記スイッチギアリレーに送信され、前記信号の受信に基づいて、前記スイッチギアリレーは前記液中ポンプへの電力を切断するようにパワースイッチギアに命令する、
第１７の局面に記載のコンピュータにより実施される方法。
［第２１の局面］
前記複数の圧力センサは、少なくとも３つの圧力センサを備える、
第１７の局面に記載のコンピュータにより実施される方法。